(57)【要約】  本発明は、オブジェクト（１２）と第１のセルラー通信ネットワーク（１４Ａ）との間の接続を確立するための方法に関し、オブジェクト（１２）は、ＵＩＣＣチップカード（２０）を含み、第２のセルラー通信ネットワーク（１４Ｂ）に接続され、ＵＩＣＣチップカード（２０）は、接続が禁止されたセルラー通信ネットワークのリスト（３２）を記憶し、方法は、以下のステップ：オブジェクト（１２）により、第２のセルラー通信ネットワークとの接続を確立する要求を送信するステップと、禁止されたセルラー通信ネットワークのリスト（３２）から内容を削除するステップと、通信が第２のセルラー通信ネットワーク（１４Ｂ）によって拒否されたことを通知するステップ（５３）と、オブジェクト（１２）により、第１のセルラー通信ネットワーク（１４Ａ）との接続を確立する要求を送信するステップと、オブジェクト（１２）と第１のセルラー通信ネットワーク（１４Ａ）との間の接続を確立するステップとを含む。
2020515200.tif 000002
【特許請求の範囲】
【請求項１】
オブジェクト（１２）と第１のセルラー通信ネットワーク（１４Ａ）との接続を確立する方法であって、前記オブジェクト（１２）は、ＵＩＣＣチップカード（２０）と、前記ＵＩＣＣチップカード（２０）に接続されたセルラー通信ネットワークによる通信手段（２４）と、を有し、前記オブジェクト（１２）は、第２のセルラー通信ネットワーク（１４Ｂ）に接続され、前記ＵＩＣＣチップカード（２０）は、接続が禁止されたセルラー通信ネットワークのリスト（３２）を記憶するメモリ（２８）を有し、前記リスト（３２）は、前記第１のセルラー通信ネットワーク（１４Ａ）のＩＤを有し、
前記方法は、
前記オブジェクト（１２）によって、前記第２のセルラー通信ネットワーク（１４Ｂ）により、前記第２のセルラー通信ネットワークへの接続を確立する要求を送信する（４６）ステップと、
前記第２のセルラー通信ネットワーク（１４Ｂ）によって接続が拒否されたことを通知する（５３）ステップと、
を有し、
前記方法はさらに、
禁止されたセルラー通信ネットワークの前記リスト（３２）の内容を削除する（４９）ステップと、
前記オブジェクト（１２）によって、前記第１のセルラー通信ネットワーク（１４Ａ）により、前記第１のセルラー通信ネットワーク（１４Ａ）への接続を確立する要求を送信する（５４）ステップと、
前記オブジェクト（１２）と前記第１のセルラー通信ネットワーク（１４Ａ）との接続を確立する（５６）ステップと、
を有する、ことを特徴とする方法。
【請求項２】
前記通知する（５３）ステップは、禁止されたセルラー通信ネットワークの前記リスト（３２）に前記第２のセルラー通信ネットワーク（１４Ｂ）のＩＤの追加を含む、ことを特徴とする請求項１に記載の方法。
【請求項３】
前記オブジェクト（１２）が接続に成功した最後のセルラー通信ネットワークが、前記ＵＩＣＣチップカード（２０）に記憶される、ことを特徴とする請求項２に記載の方法。
【請求項４】
前記オブジェクト（１２）が接続に成功した最後のセルラー通信ネットワークが前記第２のセルラー通信ネットワーク（１４Ｂ）である場合に、禁止されたセルラー通信ネットワークの前記リスト（３２）の内容を削除する（４９）ステップが、前記第２のセルラー通信ネットワーク（１４Ｂ）への接続を確立する要求を送信する（４６）ステップの後に使用される、ことを特徴とする請求項３に記載の方法。
【請求項５】
前記オブジェクト（１２）が接続に成功した最後のセルラー通信ネットワークが前記第２のセルラー通信ネットワーク（１４Ｂ）ではなく第３のセルラー通信ネットワークである場合に、前記第３のセルラー通信ネットワークがあらかじめ確立されたローミングサービスを介して第２のセルラー通信ネットワーク（１４Ｂ）と関連付けられているか否かをテストする（５０）ステップをさらに有し、前記テストする（５０）ステップの結果が肯定的である場合に、禁止されたセルラー通信ネットワークの前記リスト（３２）の内容を削除する（４９）ステップが使用される、ことを特徴とする請求項４に記載の方法。
【請求項６】
前記オブジェクト（１２）によって、禁止されたセルラー通信ネットワークの前記リスト（３２）の内容を読み出す（５２）ステップをさらに有し、前記読み出す（５２）ステップは、前記削除する（４９）ステップの後に使用される、ことを特徴とする請求項４ま
たは５に記載の方法。
【請求項７】
前記ＵＩＣＣチップカード（２０）の前記メモリ（２８）はさらに、接続が優先されるセルラー通信ネットワークのリスト（３３）および／または国内のセルラー通信ネットワークと同等のセルラー通信ネットワークのリストを記憶し、前記リストの少なくとも１つのリストには、最初に第２のセルラー通信ネットワーク（１４Ｂ）のＩＤが含まれており、前記方法はさらに、前記少なくとも１つのリスト内の前記第２のセルラー通信ネットワーク（１４Ｂ）の前記ＩＤを削除するステップと、前記少なくとも１つのリストに前記第１のセルラー通信ネットワーク（１４Ａ）のＩＤを追加するステップと、を有する、ことを特徴とする請求項２から６のいずれか一項に記載の方法。
【請求項８】
前記オブジェクト（１２）によって、優先されるセルラー通信ネットワークの前記リスト（３３）の内容および／または国内のセルラー通信ネットワークと同等のセルラー通信ネットワークの前記リストの内容を読み出すステップをさらに有する、ことを特徴とする請求項６に記載の方法。
【請求項９】
通信ネットワークからダウンロード可能な、および／またはＵＩＣＣチップカード（２０）タイプのコンピュータによって読み出し可能および／またはプロセッサによって実行可能な補助装置に記憶可能な、コンピュータプログラム製品（３１）であって、プログラム命令を有し、前記プログラム命令は、前記プログラム製品（３１）が前記オブジェクト（１２）の処理装置（２６）または前記ＵＩＣＣチップカード（２０）で実行されるときに、請求項１から８のいずれか一項に記載の接続を確立する前記方法における通知する（５３）ステップと削除する（４９）ステップとを少なくとも使用するように構成されている、ことを特徴とするコンピュータプログラム製品（３１）。
【請求項１０】
メモリ（２８）を有し、
前記メモリ（２８）は、請求項１から７のいずれか一項に記載の接続を確立する方法における少なくとも前記通知する（５３）ステップと前記削除する（４９）ステップを使用するプログラムコード命令を記憶する、
ことを特徴とするＵＩＣＣチップカード（２０）。
【請求項１１】
前記ＵＩＣＣチップカード（２０）はＳＩＭカードである、ことを特徴とする請求項９に記載のＵＩＣＣチップカード（２０）。
【請求項１２】
前記ＵＩＣＣチップカード（２０）はオブジェクト（１２）内に配置されるＳＩＭカードであり、前記ＳＩＭカードの前記メモリ（２８）は単一ＩＤを記憶する、ことを特徴とする請求項１０に記載のＵＩＣＣチップカード（２０）。
【発明の詳細な説明】
【技術分野】
【０００１】
本発明は、一般に、電気通信の分野に関し、より詳細には、１つまたは複数のセルラー通信ネットワークとＵＩＣＣ（ユニバーサル集積回路カード）チップカードを含むオブジェクトとの間の通信の分野に関する。
【０００２】
本発明は、特に、オブジェクトが第２のセルラー通信ネットワークにさらに接続され、この第２のセルラー通信ネットワークに対するＵＩＣＣチップカードからのアクセスが、ＨＬＲ（ホームロケーションレジスタ）またはＨＳＳ（ホーム加入者サーバ）システム内で禁止されたばかりであるときに、ＵＩＣＣチップカードを備えるオブジェクトと第１のセルラー通信ネットワークとの間の接続を確立するための方法を目的とし、これは本発明の範囲を限定することなく、ＵＩＣＣチップカードは、たとえば、ＳＩＭ（加入者識別モジュール）カードである。
【背景技術】
【０００３】
セルラー通信ネットワークに接続されたＵＩＣＣチップカードを備えるオブジェクトに関する使用のいくつかのケースでは、ＵＩＣＣチップカードを変更することなくネットワーク事業者を変更できることが不可欠である。これは、通常、ＵＩＣＣチップカードがオブジェクトに内在して設置されているケース、たとえば、車両内に溶接されたＵＩＣＣチップカードのケースである。
【０００４】
これに関連して、第１の既知の解決策は、後者とセルラー通信ネットワークとの間の接続を使用することによる、ＵＩＣＣチップカードの遠隔再プログラミングからなる。実際には、新しいネットワーク事業者を更新するためのプロファイルが、このネットワークのサーバにより、セルラー通信ネットワークを介してＵＩＣＣチップカードに遠隔送信される。そのような遠隔更新は、より一般的に、ＯＴＡ（オーバージエア）更新と呼ばれる。
【０００５】
しかしながら、そのようなＯＴＡ遠隔再プログラミング解決策の欠点は、その信頼性の欠如にある。実際、そのような解決策は、更新時にＵＩＣＣチップカードがセルラー通信ネットワークに接続されていないかのように成功率が限定されず、したがってチップカードに到達することができず、後者内のネットワーク事業者の変更は行うことができない。
【０００６】
別の既知の解決策は、セルラー通信ネットワークのコアにおいて、より具体的には、ＨＬＲ（ホームロケーションレジスタ）タイプのシステム内で作用することを目的とし、このシステム内で、新しい事業者によって運営されているセルラー通信ネットワークに対するＵＩＣＣチップカードからのアクセスを認可することからなる方法からなる。
【０００７】
しかしながら、そのような解決策はいくつかの問題につながる。実際、接続されたオブジェクトのＵＩＣＣチップカードには標準化されたメカニズムが存在し、それにより、チップカードは、接続が禁止されたセルラー通信ネットワークのリストを記憶するメモリを含む。しかしながら、ネットワーク事業者の変更より前に、ＵＩＣＣチップカードは、新しい事業者によって運営されているネットワークとは別のセルラー通信ネットワークに接続されている。これは、実際には、新しい事業者によって運営されているセルラー通信ネットワークＩＤが、禁止されたセルラー通信ネットワークのリストに含まれ得ることを意味する。したがって、ＨＬＲタイプのシステム内での認可後でさえ、オブジェクトのＵＩＣＣチップカードは、禁止されたネットワークのこのリストを自動的に読み取り、オブジ
ェクトの再起動後でさえも、新しい事業者によって運営されているセルラー通信ネットワークに接続することはできない。
【０００８】
この問題に対する第１の解決策は、禁止されたネットワークのリスト内で、新しい事業者によって運営されているセルラー通信ネットワークのＩＤを削除するように、ＯＴＡ更新を介してＵＩＣＣチップカードを遠隔更新することからなる。しかしながら、この第１の解決策は、上記で概説されたＯＴＡ遠隔再プログラミング解決策に戻り、同じ欠点をもたらす。
【０００９】
この問題に対する第２の解決策は、オブジェクトのユーザ向けのメッセージのオブジェクトへの遠隔送信からなり、そのようなメッセージは、新しい事業者によって運営されているセルラー通信ネットワークの手動選択をするようにユーザに指示し、それにより、禁止されたネットワークのリストをさらに渡すことが可能になる。
【発明の概要】
【発明が解決しようとする課題】
【００１０】
しかしながら、そのような手動の解決策は、ユーザによる命令の訂正実行、およびセルラー通信ネットワークに対する効果的な接続に依存するので、あまり信頼性が高くない。そのような解決策はさらに限定的であり、オブジェクトのユーザにとってあまり快適ではない。
【課題を解決するための手段】
【００１１】
本発明は、従来技術の欠点のいくつかのすべてを克服すること、特に、オブジェクト内のＵＩＣＣチップカードを変更することなくネットワーク事業者の変更を可能にし、ＵＩＣＣチップカードの再プログラミングまたは遠隔更新を必要とせずに、新しい事業者によって運営されているセルラー通信ネットワークとの効果的な接続を可能にする、簡単で信頼できる解決策を提案することを目的とする。
【００１２】
この目的は、オブジェクトと第１のセルラー通信ネットワークとの接続を確立する方法であって、オブジェクトは、ＵＩＣＣチップカードと、ＵＩＣＣチップカードに接続されたセルラー通信ネットワークによる通信手段と、を有し、オブジェクトは、第２のセルラー通信ネットワークに接続され、ＵＩＣＣチップカードは、接続が禁止されたセルラー通信ネットワークのリストを記憶するメモリを有し、リストは、第１のセルラー通信ネットワークのＩＤを有し、
上記方法は、
オブジェクトによって、第２のセルラー通信ネットワークにより、第２のセルラー通信ネットワークへの接続を確立する要求を送信するステップと、
第２のセルラー通信ネットワークによって接続が拒否されたことを通知するステップと、
を有し、
方法はさらに、
禁止されたセルラー通信ネットワークのリストの内容を削除するステップと、
オブジェクトによって、第１のセルラー通信ネットワークにより、第１のセルラー通信ネットワークへの接続を確立する要求を送信するステップと、
オブジェクトと第１のセルラー通信ネットワークとの接続を確立するステップと、
を有する、ことを特徴とする方法によって達成される。
【００１３】
したがって、この解決策は上述された目的を達成することを可能にする。詳細には、禁止されたセルラー通信ネットワークのリストの内容を削除するステップのおかげで、オブジェクト内のＵＩＣＣチップカードを変更することなく効果的なネットワーク事業者の変
更を可能にする、簡単で信頼できる解決策が得られる。実際、この削除動作を介して、新しい事業者によって運営されている第１のセルラー通信ネットワークのＩＤは、特に、禁止されたセルラー通信ネットワークのリストから削除される。このように、オブジェクトは、新しい事業者によって運営されている第１のセルラー通信ネットワークへの接続に成功することができる。
【００１４】
さらに、本発明による方法によれば、禁止されたセルラー通信ネットワークのリストの内容を削除するステップがＵＩＣＣチップカード自体によって使用されるので、事業者の変更を実行するためにＵＩＣＣチップカードの再プログラミングまたは遠隔更新は必要ではない。
【００１５】
本発明の特定の技術的特徴によれば、オブジェクトが接続に成功した最後のセルラー通信ネットワークが、ＵＩＣＣチップカードに記憶される。
【００１６】
好ましくは、オブジェクトが接続に成功した最後のセルラー通信ネットワークが第２のセルラー通信ネットワークである場合に、禁止されたセルラー通信ネットワークのリストの内容を削除するステップが、第２のセルラー通信ネットワークへの接続を確立する要求を送信するステップの後に使用される。
【００１７】
これにより、禁止されたセルラー通信ネットワークのリストの内容を削除するためのメカニズムの最適化を得ることが可能になる。したがって、ＵＩＣＣチップカード、したがってそれを含むオブジェクトの性能が、特に、利用可能な計算リソースおよび応答時間に関して改善される。通常、ＵＩＣＣチップカードは、禁止されたセルラー通信ネットワークのリストの内容を定期的かつ「盲目的」に削除することを続けず、これが適切であると判明したときに限られる。
【００１８】
本発明の特定の技術的特徴によれば、オブジェクトが接続に成功した最後のセルラー通信ネットワークが第２のセルラー通信ネットワークではなく第３のセルラー通信ネットワークである場合に、第３のセルラー通信ネットワークがあらかじめ確立されたローミングサービスを介して第２のセルラー通信ネットワークと関連付けられているか否かをテストするステップをさらに有し、テストするステップの結果が肯定的である場合に、禁止されたセルラー通信ネットワークのリストの内容を削除するステップが使用される。
【００１９】
好ましくは、オブジェクトによって、禁止されたセルラー通信ネットワークのリストの内容を読み出すステップをさらに有し、読み出すステップは、削除するステップの後に使用される。
【００２０】
これにより、特に、このリストの内容が定期的かつ「盲目的」に削除されないとき、オブジェクトが禁止されたセルラー通信ネットワークのリストの更新された内容を迅速に取得することが可能になる。したがって、更新がＵＩＣＣチップカード内で実行されるとすぐに、オブジェクトは第１のセルラー通信ネットワークに接続することができる。
【００２１】
本発明の特定の技術的特徴によれば、ＵＩＣＣチップカードのメモリはさらに、接続が優先されるセルラー通信ネットワークのリストおよび／または国内のセルラー通信ネットワークと同等のセルラー通信ネットワークのリストを記憶し、リストの少なくとも１つのリストには、最初に第２のセルラー通信ネットワークのＩＤが含まれており、上記方法はさらに、少なくとも１つのリスト内の第２のセルラー通信ネットワークのＩＤを削除するステップと、少なくとも１つのリストに第１のセルラー通信ネットワークのＩＤを追加するステップと、を有する。
【００２２】
これにより、禁止されたセルラー通信ネットワークのリストの内容が定期的かつ「盲目的」に削除されるケースでは、このようにアクセスが禁止されているセルラー通信ネットワークに対するオブジェクトの接続試行に関する最適化が可能になる。実際、オブジェクトは、そのＩＤが、優先されるセルラー通信ネットワークのリストまたは同等のセルラー通信ネットワークのリストのどちらかに含まれるセルラー通信ネットワークに接続するように試みるだけである。セルラー通信ネットワークへのアクセスがオブジェクトに対してこのように禁止されているが、このセルラー通信ネットワークのＩＤが禁止されたセルラー通信ネットワークのリスト内で削除されている場合、オブジェクトはそれに有効に接続しようと試みない。特に、利用可能な計算リソースおよび応答時間に関して、オブジェクトの性能がこのように改善される。
【００２３】
好ましくは、上記方法は、オブジェクトによって、優先されるセルラー通信ネットワークのリストの内容および／または国内のセルラー通信ネットワークと同等のセルラー通信ネットワークのリストの内容を読み出すステップをさらに有する。
【００２４】
これにより、優先されるセルラー通信ネットワークのリストおよび／または国内のセルラー通信ネットワークと同等のセルラー通信ネットワークのリストの更新された内容を、オブジェクトが迅速に取得することが可能になる。
【００２５】
別の側面によれば、本発明は、通信ネットワークからダウンロード可能な、および／またはＵＩＣＣチップカードタイプのコンピュータによって読み出し可能および／またはプロセッサによって実行可能な補助装置に記憶可能な、コンピュータプログラム製品であって、プログラム命令を有し、プログラム命令は、プログラム製品がオブジェクトの処理装置またはＵＩＣＣチップカードで実行されるときに、接続を確立する上記の方法における通知するステップと削除するステップとを少なくとも使用するように構成されている、コンピュータプログラム製品に関する。
【００２６】
別の側面によれば、本発明は、メモリを有し、メモリは、請求項１から７のいずれか一項に記載の接続を確立する方法における少なくとも通知するステップと削除するステップを使用するプログラムコード命令を記憶する、ＵＩＣＣチップカードに関する。
【００２７】
本発明の特定の技術的特徴によれば、ＵＩＣＣチップカードはＳＩＭカードである。
本発明の別の特定の技術的特徴によれば、ＵＩＣＣチップカードはオブジェクト内に配置されるＳＩＭカードであり、ＳＩＭカードのメモリは単一ＩＤを記憶する。
【００２８】
本発明の他の特徴および利点は、例としてのみ与えられ、以下の図を参照して行われる以下の説明により明らかになる。
【図面の簡単な説明】
【００２９】
【図１】本発明による、接続を確立するための方法を使用することが可能な通信アセンブリの概略図である。
【図２】図１の通信アセンブリによって使用される、本発明による、オブジェクトとセルラー通信ネットワークとの間の接続を確立するための方法を表すフローチャートである。
【発明を実施するための形態】
【００３０】
以下に、特に、オブジェクト１２と第１のセルラー通信ネットワーク１４Ａとの間の接続を確立するための方法が開示される。非限定的な例として、オブジェクト１２は携帯電話またはコネクテッド車両でもあり得る。
【００３１】
「ファームウェア」とは、ＩＴハードウェアが機能できるようにＩＴハードウェアに一体化されている一組の命令およびデータ構造を意味する。
【００３２】
第１のセルラー通信ネットワーク１４Ａおよび第２のセルラー通信ネットワーク１４Ｂが、図１に概略的に表されている。本発明の一実施形態による通信アセンブリ１８は、第１および第２のセルラー通信ネットワーク１４Ａ、１４Ｂに接続されている。
【００３３】
各セルラー通信ネットワーク１４Ａ、１４Ｂは、専用のまたは拡張された通信基盤が備えられ、これにより、サーバおよび／またはデータベースおよび／または通信デバイスタイプの通信機器に接続またはアクセスすることが可能になる。従来、通信基盤は、ワイヤレスネットワークもしくは有線ネットワーク、またはワイヤレス部分および有線部分を含むネットワークも形成する。具体的な実施形態では、各セルラー通信ネットワーク１４Ａ、１４Ｂは、ＧＳＭ（モバイル通信用グローバルシステム）またはＵＭＴＳ（ユニバーサルモバイルテレコミュニケーションズシステム）タイプのネットワークとして設計される。
【００３４】
第１および第２のセルラー通信ネットワーク１４Ａ、１４Ｂは、別々のネットワークである。
【００３５】
通信アセンブリ１８は、オブジェクト１２、第１の通信システム１９Ａ、および第２の通信システム１９Ｂを含む。通信アセンブリは、ＨＬＲ（ホームロケーションレジスタ）またはＨＳＳ（ホーム加入者サーバ）システム２１をさらに含む。第１の通信システム１９Ａ、それぞれ第２の通信システム１９Ｂは、ＨＬＲまたはＨＳＳシステム２１、および第１のセルラー通信ネットワーク１４Ａ、それぞれ第２のセルラー通信ネットワーク１４Ｂに接続されている。オブジェクト１２は、第２のセルラー通信ネットワーク１４Ｂに接続されている。詳細には、オブジェクト１２は、したがって、第２の通信システム１９Ｂに接続されている。
【００３６】
オブジェクト１２は、ＵＩＣＣ（ユニバーサル集積回路カード）チップカード２０、およびセルラー通信ネットワーク１４Ａ、１４Ｂによる通信手段２４を含む。好ましくは、オブジェクト１２は、図１に示されたように、計算手段２６をさらに含む。
【００３７】
ＵＩＣＣチップカード２０は、セルラー通信ネットワーク１４Ａ、１４Ｂによる通信手段２４、および計算手段２６に接続されている。ＵＩＣＣチップカード２０は、メモリ２８、およびメモリ２８に接続されたマイクロプロセッサ３０を含む。ＵＩＣＣチップカード２０は、たとえば、ＳＩＭ（加入者識別モジュール）チップカードである。ＵＩＣＣチップカード２０は、たとえば、オブジェクト１２に内在して、たとえば溶接によって設置されたＳＩＭチップカードである。これは、特に、オブジェクト１２が車両であるケースであり得る。
【００３８】
メモリ２８は、アプリケーション３１、および接続が禁止されたセルラー通信ネットワークのリスト３２を記憶する。好ましくは、図１に示されたように、メモリ２８はさらに、接続が優先されるセルラー通信ネットワークのリスト３３を記憶する。また好ましくは、ＵＩＣＣチップカード２０がオブジェクト１２内に設置されるものであるとき、メモリ２８はさらに、１つの単一ＩＤを記憶する。メモリ２８は、たとえば、非一時メモリ、通常、フラッシュメモリである。
【００３９】
アプリケーション３１は、たとえば、明確にするために図示されていないデータ通信ネットワークからダウンロードすることができる。アプリケーション３１は、以下に記載されるように、オブジェクト１２と第１のセルラー通信ネットワーク１４Ａとの間の接続を
確立するための方法の一部を使用するように適合されたプログラム命令を含む。図示されていない変形形態では、アプリケーション３１は、ＵＩＣＣチップカード２０のメモリ２８に記憶されないが、オブジェクト１２のメモリに記憶される。
【００４０】
接続が禁止されたセルラー通信ネットワークのリスト３２は、第１のセルラー通信ネットワーク１４ＡのＩＤを含む。これは、実際には、オブジェクト１２がそれを行うことを認可されなかったが、オブジェクト１２が第１のセルラー通信ネットワーク１４Ａに接続するようにすでに試みていることを意味する。ＵＩＣＣチップカード２０がＳＩＭカードであるとき、リスト３２は標準化されたリストであり、そうでない場合、ＦＰＬＭＮ（禁止された公衆陸上モバイルネットワーク）リストと呼ばれる。
【００４１】
優先されるセルラー通信ネットワークのリスト３３は、第２のセルラー通信ネットワーク１４ＢのＩＤを含む。実際、オブジェクト１２は、第２のセルラー通信ネットワーク１４Ｂに有効に接続されている。ＵＩＣＣチップカード２０がＳＩＭカードであるとき、リスト３３は標準化されたリストであり、そうでない場合、ＰＬＭＮＳｅｌ（選択された公衆陸上モバイルネットワーク）リストと呼ばれる。表されていない変形形態では、ＵＩＣＣチップカード２０のメモリ２８は、優先されるセルラー通信ネットワークのリスト３３を記憶しないが、国内のセルラー通信ネットワークと同等のセルラー通信ネットワークのリストを記憶する。国内のセルラー通信ネットワークは、たとえば、第２のセルラー通信ネットワーク１４Ｂであり得るが、別のセルラー通信ネットワークでもあり得る。この変形形態によれば、同等のセルラー通信ネットワークのリストは、第２のセルラー通信ネットワーク１４ＢのＩＤを含む。さらに、ＵＩＣＣチップカード２０がＳＩＭカードであるとき、同等のセルラー通信ネットワークのリストは標準化されたリストであり、そうでない場合、ＥＨＰＬＭＮ（同等なホーム公衆陸上モバイルネットワーク）リストと呼ばれる。また一変形形態では、ＵＩＣＣチップカード２０のメモリ２８は、優先されるセルラー通信ネットワークのリスト３３および同等のセルラー通信ネットワークのリストを記憶し、２つのリストのうちの少なくとも１つは第２のセルラー通信ネットワーク１４ＢのＩＤを含む。
【００４２】
セルラー通信ネットワーク１４Ａ、１４Ｂによる通信手段２４は、たとえば、トランシーバから形成される。トランシーバ２４は、たとえば、セルラーモデムである。
【００４３】
計算手段２６は、たとえば、プロセッサから形成される。
【００４４】
計算手段２６は、たとえば、後述されるように、具体的に、ＵＩＣＣチップカード２０と対話することができ、特に、アプリケーション３１を実行することができるように構成されたファームウェアの一部を形成する。
【００４５】
第１および第２の通信システム１９Ａ、１９Ｂの各々は、たとえば、サーバ３６Ａ、３６Ｂを含む。
【００４６】
各サーバ３６Ａ、３６Ｂは、記憶手段、および記憶手段に接続されたデータ処理手段を含み、これらの異なる手段は、明確にするために図には表されていない。
【００４７】
ＨＬＲまたはＨＳＳシステム２１は、通常、中央データベース３８を含む。中央データベース３８は、図１に示されたように、第１および第２の通信システム１９Ａ、１９Ｂの各々のサーバ３６Ａ、３６Ｂに接続されている。中央データベース３８は、通常、ＨＬＲタイプの加入者を地理的に特定するためのベース、またはＨＳＳタイプのネットワークのコアベースでもある。中央データベース３８は、たとえば遠隔的に、第１のセルラー通信ネットワーク１４Ａまたは第２のセルラー通信ネットワーク１４Ｂに対するオブジェクト
１２のＵＩＣＣチップカード２０のアクセスを認可できるように構成されることが可能である。
【００４８】
以下に、通信アセンブリ１８の機能について図２を参照しながら詳細に説明する。特に、通信アセンブリ１８によって使用される、オブジェクト１２と第１のセルラー通信ネットワーク１４Ａとの間の接続を確立するための方法について、図２を参照しながら説明する。
【００４９】
最初に、オブジェクト１２が第２のセルラー通信ネットワーク１４Ｂに接続されていると仮定する。より具体的には、ＵＩＣＣチップカード２０は、第２のセルラー通信ネットワーク１４Ｂに対して、ＵＩＣＣチップカード２０を含むオブジェクト１２の認証を可能にするために使用される。これは、実際には、第２のセルラー通信ネットワーク１４Ｂへのアクセスが、第２の通信システム１９Ｂ内で、オブジェクト１２のＵＩＣＣチップカード２０に対して認可されることを意味する。さらに、第１の通信システム１９Ａ内で、第１のセルラー通信ネットワーク１４Ａへのアクセスが、オブジェクト１２のＵＩＣＣチップカード２０に対して禁止されていると仮定する。これは、実際には、ＵＩＣＣチップカード２０内で、接続が禁止されたセルラー通信ネットワークのリスト３２が、第１のセルラー通信ネットワーク１４ＡのＩＤを含むことを意味する。
【００５０】
より具体的には、ＨＬＲまたはＨＳＳシステム２１は、第１のセルラー通信ネットワーク１４Ａに対するＵＩＣＣカード２０に対するアクセスを認可し、第２のセルラー通信ネットワーク１４Ｂに対するこのカードのアクセスを禁止することができる。
【００５１】
この状況は、本発明による方法のステップを使用する２つの先行ステップ４２、４４から生じ得る。
【００５２】
最初のステップ４２の間に、第１のセルラー通信ネットワーク１４Ａへのアクセスは、ＨＬＲまたはＨＳＳシステム２１内で、オブジェクト１２のＵＩＣＣチップカード２０に認可される。より具体的には、ＨＬＲまたはＨＳＳシステム２１の中央データベース３８は、第１のセルラー通信ネットワーク１４Ａに対するオブジェクト１２のＵＩＣＣチップカード２０に対するアクセスを認可するように、たとえば遠隔的に構成される。中央データベース３８のこの修正は、たとえば、オブジェクト１２に対するセルラーネットワーク事業者の変更に対応することができる。
【００５３】
並列または後続のステップ４４の間に、第２のセルラー通信ネットワーク１４Ｂへのアクセスは、ＨＬＲまたはＨＳＳシステム２１内で、オブジェクト１２のＵＩＣＣチップカード２０に対して禁止される。より具体的には、ＨＬＲまたはＨＳＳシステム２１の中央データベース３８は、第２のセルラー通信ネットワーク１４Ｂに対するオブジェクト１２のＵＩＣＣチップカード２０のアクセスを禁止するように、たとえば遠隔的に構成される。中央データベース３８のこの修正は、たとえば、オブジェクト１２に対するセルラーネットワーク事業者の変更に対応することができる。
【００５４】
一変形形態では、認可ステップ４２と禁止ステップ４４は逆にすることができる。
【００５５】
次のステップ４６の間に、オブジェクト１２は、その通信手段２４を介して、第２のセルラー通信ネットワーク１４Ｂへの接続を確立する要求を、第２のセルラー通信ネットワーク１４Ｂを介して送信する。この接続を確立する要求は、第２の通信システム１９Ｂのサーバ３６Ｂに送信され、第２の通信システム１９Ｂのサーバ３６Ｂは中央データベース３８に従ってそれを処理する。このステップ４６から、オブジェクト１２は、第２のセルラー通信ネットワーク１４Ｂに対するオブジェクト１２のＵＩＣＣチップカード２０のア
クセスがこのように禁止されていることを示す、第２の通信システム１９Ｂのサーバ３６Ｂからの応答を受信する。
【００５６】
好ましくは、本発明の有利な実施形態によれば、オブジェクト１２が接続に成功した最後のセルラー通信ネットワークは、ＵＩＣＣチップカード２０内に、通常、チップカード２０のメモリ２８内に記憶される。この有利な実施形態によれば、ＵＩＣＣチップカード２０のアプリケーション３１は、次のステップ４８の間に実行される。アプリケーション３１は、たとえば、ＵＩＣＣチップカード２０のマイクロプロセッサ３０によって実行される。一変形形態では、アプリケーション３１は、オブジェクト１２の計算手段２６によって実行される。このステップ４８の間に、アプリケーション３１は、オブジェクト１２が接続に成功した最後のセルラー通信ネットワークが第２のセルラー通信ネットワーク１４Ｂであるかどうかをテストする。そうである場合、アプリケーション３１は、次のステップ４９の間に、接続が禁止されたセルラー通信ネットワークのリスト３２の内容を削除する。
【００５７】
好ましくは、この有利な実施形態によれば、ステップ４８において実行されたテストの結果が、オブジェクト１２が接続に成功した最後のセルラー通信ネットワークが第２のセルラー通信ネットワーク１４Ｂではなく、第３のセルラー通信ネットワークであることである場合、アプリケーション３１は、次のステップ５０の間に、第３のセルラー通信ネットワークがあらかじめ確立されたローミングサービスを介して第２のネットワーク１４Ｂと関連付けられているかどうかをテストする。関連付けられている場合、アプリケーション３１が実行され、削除ステップ４９が使用される。関連付けられていない場合、テストステップ４８が再び使用される。
【００５８】
好ましくは、削除ステップ４９に従ってステップ５２の間に、オブジェクト１２の計算手段２６は、ＵＩＣＣチップカード２０内で、事前に更新された、接続が禁止されたセルラー通信ネットワークのリスト３２の内容を読み取る。
【００５９】
次のステップ５３の間に、ＵＩＣＣチップカード２０のアプリケーション３１は、第２のネットワークによって接続拒否を通知される。アプリケーション３１は、たとえば、「限定サービス」イベントを受信することによってこれを通知される。この拒否は、アプリケーション３１により、接続が禁止されたセルラー通信ネットワークのリスト３２内で、第２のセルラー通信ネットワーク１４ＢのＩＤの追加をトリガすることができる。
【００６０】
一変形形態では、読み取りステップ５２と追加ステップ５３は逆にすることができる。
【００６１】
また一変形形態では、削除ステップ４９は、２つの先行ケースに記載されたように、もはやトリガ条件に従って使用されないが、特定のトリガ条件なしに定期的に使用される。この実施形態の変形形態によれば、かつＵＩＣＣチップカード２０のメモリ２８が、接続が優先されるセルラー通信ネットワークのリスト３３、および／または国内のセルラー通信ネットワークと同等のセルラー通信ネットワークのリストを記憶するとき、方法は、その間にＵＩＣＣチップカード２０のアプリケーション３１がこのリストまたはこれらのリスト内の第２のセルラー通信ネットワーク１４ＢのＩＤを削除するステップを含む。この削除ステップは、たとえば、追加ステップ５３の後に使用される。一変形形態では、この削除ステップは、送信ステップ４６と追加ステップ５３との間で使用することができる。好ましくは、方法は、次いで、その間に、オブジェクト１２の計算手段２６が、ＵＩＣＣチップカード２０内で、接続が優先されるセルラー通信ネットワークのリスト３３、および／または事前に更新された国内のセルラー通信ネットワークと同等のセルラー通信ネットワークのリストの内容を読み取るステップを含む。
【００６２】
次のステップ５４の間に、オブジェクト１２は、その通信手段２４を介して、第１のセルラー通信ネットワーク１４Ａへの接続を確立する要求を、第１のセルラー通信ネットワーク１４Ａを介して送信する。この接続を確立する要求は、第１の通信システム１９Ａのサーバ３６Ａに送信され、第１の通信システム１９Ａのサーバ３６Ａは中央データベース３８に従ってそれを処理する。このステップ５４から、オブジェクト１２は、第１のセルラー通信ネットワーク１４Ａに対するオブジェクト１２のＵＩＣＣチップカード２０のアクセスが認可されたことを示す、第１の通信システム１９Ａのサーバ３６Ａからの応答を受信する。
【００６３】
好ましくは、ＵＩＣＣチップカード２０のメモリ２８が、接続が優先されるセルラー通信ネットワークのリスト３３、および／または国内のセルラー通信ネットワークと同等のセルラー通信ネットワークのリストを記憶するとき、方法は、以下の、その間にＵＩＣＣチップカード２０のアプリケーション３１が、このリストまたはこれらのリスト内の第１のセルラー通信ネットワーク１４ＡのＩＤを追加するステップを含む。好ましくは、方法は、次いで、その間に、オブジェクト１２の計算手段２６が、ＵＩＣＣチップカード２０内で、接続が優先されるセルラー通信ネットワークのリスト３３、および／または事前に更新された国内のセルラー通信ネットワークと同等のセルラー通信ネットワークのリストの内容を読み取るステップを含む。
【００６４】
最後のステップである次のステップ５６の間に、オブジェクト１２と第１のセルラー通信ネットワーク１４Ａとの間に接続が確立される。詳細には、オブジェクト１２は第１の通信システム１９Ａにこのように接続される。
【００６５】
以上、本発明の一例について説明した。当業者は、本発明の範囲から逸脱することなく、たとえば、個別にまたは組み合わせて取られた上記の異なる特徴を関連付けることにより、本発明の異なる実施形態の変形を生み出すことができる。
【図１】
2020515200.tif 000003
【図２】
2020515200.tif 000004
【国際調査報告】
2020515200.tif 000005
2020515200.tif 000006
2020515200.tif 000007
2020515200.tif 000008